(57)【要約】【課題】距離に応じた打ち分けが正確かつ容易にできるようなパターヘッド及びパタークラブを提供する。【解決手段】パターヘッド１００は、偏平三角柱の各側面に、反発係数が各々異なる打球面１０１ａ，１０２ａ，１０３ａを備え、パタークラブ１１０は、パターヘッドの上面中心から鉛直に立設されるシャフト１１１を備える。プレイヤーは、打球をすべき距離に応じて、反発係数が各々異なる複数の打球面のうちの一の打球面を選択して打球をする。【選択図】図１
2008061794.tif 000002
【特許請求の範囲】
【請求項１】
三角柱又は直方体の各側面のうちの二以上の側面に打球面が各々形成され、当該各打球面の反発係数が各々異なることを特徴とするパターヘッド。
【請求項２】
請求項１に記載したパターヘッドであって、
前記各打球面を各々有する複数の打球部材と、
当該各打球部材が接合される基体と、からなり、
前記各打球部材は、同一の材質であり、かつ前記各打球面からの奥行き方向の厚みが各々異なることを特徴とするパターヘッド。
【請求項３】
請求項１又は２に記載したパターヘッドと、
該パターヘッドの上面中心から鉛直に立設されるシャフトと、
からなることを特徴とするパタークラブ。
【請求項４】
請求項１又は２に記載したパターヘッドと、
該パターヘッドの上面中心に設けられ、前記各打球面のうちの一の打球面に対して並行であり、かつ鉛直に対して斜め方向となるようにシャフトを保持する保持部材と、
該保持部材に保持されるシャフトと、
からなることを特徴とするパタークラブ。
【発明の詳細な説明】
【技術分野】
【０００１】
本発明は、ゴルフにおいて、主としてグリーン上でゴルフボールを打つために使用されるパタークラブ及びそのパターヘッドに係り、さらに詳しくは、反発係数が各々異なる複数の打球面を有するパターヘッド及びパタークラブに関する。
【背景技術】
【０００２】
従来より、パタークラブを使用してグリーン上でゴルフボールを打つ際に、打球面（パターフェイス）における打球をする箇所毎に反発係数が異なること、即ちスイートスポットから離れると反発係数が低下することを利用し、ホールカップまでの距離に応じて、プレイヤーが、打球面における適切な打球箇所を選択して打球（パッティング）をすることが行われている。
【０００３】
また特許文献１に示すように、距離に応じた打ち分けができるように、パターヘッドの面一の打球面の中に、硬度が各々異なる第１の打面，第２の打面，及び第３の打面を設け、比較的近距離に向けて打球をする場合には第１の打面を使用し、比較的中距離に向けて打球をする場合には第２の打面を使用し、比較的長距離に向けて打球をする場合には第３の打面を使用するものが知られている。
【０００４】
【特許文献１】特開２００１−２８６５８７号公報（図１，図２，請求項２，４）
【発明の開示】
【発明が解決しようとする課題】
【０００５】
しかしながら、特許文献１に記載されたパターヘッドでは、面一の打球面の中に３つの打面が設けられているため、必ずしも正確な打ち分けができないという問題があった。即ち、各打面が隣接して設けられているため、例えば第１の打面での打球を意図しているのに第２の打面で打球をしてしまうということがある。またパターフェイスの打面でない箇所で打球をしてしまうということもある。
【０００６】
本発明は、このような背景のもとになされたものであり、その目的は、距離に応じた打ち分けが正確かつ容易にできるようなパターヘッド及びパタークラブを提供することにある。
【課題を解決するための手段】
【０００７】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００８】
まず請求項１に係る発明は、三角柱又は直方体の各側面のうちの二以上の側面に打球面（１０１ａ〜１０３ａ，２０１ａ〜２０２ａ）が各々形成され、当該各打球面の反発係数が各々異なることを特徴とするパターヘッド（１００，２００）である。
【０００９】
また請求項２に係る発明は、請求項１に記載したパターヘッド（１００）であって、前記各打球面（１０１ａ〜１０３ａ）を各々有する複数の打球部材（１０１〜１０３）と、当該各打球部材が接合される基体（１０４）と、からなり、前記各打球部材は、同一の材質であり、かつ前記各打球面からの奥行き方向の厚み（ｔ１〜ｔ３）が各々異なることを特徴とするパターヘッドである。
【００１０】
また請求項３に係る発明は、請求項１又は２に記載したパターヘッド（１００）と、該パターヘッドの上面中心から鉛直に立設されるシャフト（１１１）と、からなることを特徴とするパタークラブ（１１０）である。
【００１１】
さらに請求項４に係る発明は、請求項１又は２に記載したパターヘッド（２００）と、該パターヘッドの上面中心に設けられ、前記各打球面のうちの一の打球面に対して並行であり、かつ鉛直に対して斜め方向となるようにシャフトを保持する保持部材（２０６）と、該保持部材に保持されるシャフト（２１１）と、からなることを特徴とするパタークラブ（２１０）である。
【発明の効果】
【００１２】
まず請求項１に係るパターヘッドによれば、三角柱又は直方体の各側面のうちの二以上の側面に、反発係数が異なる打球面が各々形成されていることにより、打球をすべき距離に応じて、プレイヤーが、当該各打球面のうちの一の打球面を選択して打球をすれば良いので、距離に応じた打ち分けが正確かつ容易にできる。
【００１３】
また請求項２に係るパターヘッドによれば、基体に接合される打球部材の厚みを各々異ならせることにより、各打球面の反発係数を各々異ならせているので、複数の異なる材質の打球部材を用意する必要が無い。
【００１４】
また請求項３に係るパタークラブによれば、パターヘッドの上面中心から鉛直に立設されるシャフトを備えることにより、パターヘッドを真上から見下ろす形で又はパタークラブの真後ろからパッティングラインを見る形で打球をすることができるので、方向性が良く正確な打球をすることができると共に、略平地においてはパタークラブが自立するので、該パタークラブを自立させた状態で、パタークラブの真後ろからパッティグラインを確認して、打球をする方向を調整することができる。
【００１５】
さらに請求項４に係るパタークラブによれば、パターヘッドの上面中心に設けられた保持部材により、複数の打球面のうちの一の打球面に対して並行かつ鉛直に対して斜め方向となるようにシャフトが保持されるので、あまり腰をかがめない体勢で打球をすることができると共に、右打ちのプレイヤーのみならず左打ちのプレイヤーにも容易に対応することができる。
【発明を実施するための最良の形態】
【００１６】
以下、本発明に係るパターヘッド及びパタークラブについて、図面を参照して説明する。本発明に係るパターヘッド及びパタークラブは、三角柱又は直方体の各側面のうちの二以上の側面に打球面が各々形成され、当該各打球面の反発係数が各々異なることを特徴とするものである。このパターヘッド及びパタークラブには、図１及び図２に示す第１実施形態と、図３及び図４に示す第２実施形態とが含まれる。以下、各実施形態について説明し、さらに変形例について説明する。
【００１７】
［１．第１実施形態に係るパターヘッド１００及びパタークラブ１１０］
第１実施形態に係るパターヘッド１００は、図１（ａ）に示すように、平面視で正三角形の形状を呈すると共に、図１（ｂ）に示すように、立面視で当該正三角形の各辺の長さよりも短い高さの偏平正三角柱を呈し、当該偏平三角柱の各側面（即ち３側面）に、３つの打球面１０１ａ，１０２ａ，１０３ａが形成されたものである。そしてパターヘッド１００は、各打球面１０１ａ，１０２ａ，１０３ａを各々有する複数の（ここでは３つの）打球部材１０１，１０２，１０３と、当該各打球部材１０１，１０２，１０３が接合される基体１０４と、からなる。
【００１８】
ここで打球部材１０１は、図１（ａ）に示すように、平面視で等脚台形の下端左右から取付部１０１ｂ，１０１ｂが突設された形状を呈すると共に、図１（ｂ）に示すように、立面視でパターヘッド１００の高さよりも取付部１０１ｂ，１０１ｂの厚み分だけ高さが高い長方形の上端左右から当該取付部１０１ｂ，１０１ｂが突設された逆凸型の形状を呈するものである。この打球部材１０１の正面が、該打球部材１０１が基体１０４に接合されたときに該基体１０４の側面と面一になる、平滑な打球面１０１ａとされている。
【００１９】
同様に打球部材１０２は、図１（ａ）に示すように、平面視で等脚台形の下端左右から取付部１０２ｂ，１０２ｂが突設された形状を呈すると共に、図示しないが、立面視でパターヘッド１００の高さよりも取付部１０２ｂ，１０２ｂの厚み分だけ高さが高い長方形の上端左右から当該取付部１０２ｂ，１０２ｂが突設された逆凸型の形状を呈するものである。この打球部材１０２の正面が、該打球部材１０２が基体１０４に接合されたときに該基体１０４の側面と面一になる、平滑な打球面１０２ａとされている。
【００２０】
同様に打球部材１０３は、図１（ａ）に示すように、平面視で等脚台形の下端左右から取付部１０３ｂ，１０３ｂが突設された形状を呈すると共に、図示しないが、立面視でパターヘッド１００の高さよりも取付部１０３ｂ，１０３ｂの厚み分だけ高さが高い長方形の上端左右から当該取付部１０３ｂ，１０３ｂが突設された逆凸型の形状を呈するものである。この打球部材１０３の正面が、該打球部材１０３が基体１０４に接合されたときに該基体１０４の側面と面一になる、平滑な打球面１０３ａとされている。
【００２１】
これら各打球部材１０１，１０２，１０３は、同一の材質により形成された中実の部材であり、例えばチタン又はチタン合金，ステンレス鋼又はステンレス合金，銅又は銅合金等により、鋳造や鍛造等で各々形成される。また各打球部材１０１，１０２，１０３は、図１（ａ）に示すように、各打球面１０１ａ，１０２ａ，１０３ａからの奥行き方向の厚みｔ１，ｔ２，ｔ３が各々異なるように形成されており、ここでは打球部材１０１の打球面１０１ａからの厚みｔ１＞打球部材１０２の打球面１０２ａからの厚みｔ２＞打球部材１０３の打球面１０３ａからの厚みｔ３となるように形成されている。
【００２２】
これにより、３つの打球面のうち、打球面１０１ａの反発係数が高くなって、比較的長距離に向けて打球をする場合には該打球面１０１ａを使用するのが適するようになり、打球面１０２ａの反発係数は中程度となって、比較的中距離に向けて打球をする場合には該打球面１０２ａを使用するのが適するようになり、打球面１０３ａの反発係数が低くなって、比較的短距離に向けて打球をする場合には該打球面１０３ａを使用するのが適するようになる。ここで打球部材１０１の上面には、比較的長距離に向けて打球をするのに適する旨を示す目印１０１ｃとして「長」の文字が表示され、打球部材１０２の上面には、比較的中距離に向けて打球をするのに適する旨を示す目印１０２ｃとして「中」の文字が表示され、打球部材１０３の上面には、比較的短距離に向けて打球をするのに適する旨を示す目印１０３ｃとして「短」の文字が表示される。
【００２３】
基体１０４は、図１（ａ）に示すように、各打球部材１０１，１０２，１０３を接合可能なように、平面視で前記正三角形の各辺が等脚台形状にえぐられた３つの凹部を有する形状を呈するものである。この基体１０４は、金属，プラスチック，又はセラミック等により、中実又は中空に形成される。この基体１０４の前記３つの凹部の各々に各打球部材１０１，１０２，１０３が密着するように嵌め込まれ、各打球部材１０１，１０２，１０３から突設された取付部１０１ｂ，１０２ｂ，１０３ｂに設けられたねじ穴にねじ１０５が挿通され、基体１０４の上面に設けられたねじ穴に該ねじ１０５が螺入されることにより、各打球部材１０１，１０２，１０３と基体１０４とが接合されて、パターヘッド１００が形成される。
【００２４】
このパターヘッド１００では、基体１０４に接合される各打球部材１０１，１０２，１０３の厚みｔ１，ｔ２，ｔ３を各々異ならせることにより、各打球面１０１ａ，１０２ａ，１０３ａの反発係数を各々異ならせているので、複数の異なる材質の打球部材を用意する必要が無い。
【００２５】
第１実施形態に係るパタークラブ１１０は、図１（ｂ）に示すように、上述したパターヘッド１００と、該パターヘッド１００の上面中心から鉛直に立設されるシャフト１１１と、からなるものである。ここでパターヘッド１００の中心とは、パターヘッド１００の平面形状である前記正三角形の図形状の中心を意味する。またシャフト１１１は、横断面が円形の形状を呈し、金属，プラスチック，又はグラスファイバー等により、中実又は中空に形成される既知のものである。
【００２６】
このパタークラブ１１０を使用して打球をする場合には、プレイヤーは、打球をすべき距離に応じて、反発係数が各々異なる各打球面１０１ａ，１０２ａ，１０３ａのうちの一の打球面（例えば打球面１０１ａ）を選択して打球をすれば良い。
【００２７】
具体的には、まずプレイヤーは、選択した打球面１０１ａがゴルフボールの後方に位置するように、パタークラブ１１０を自立させ、該パタークラブ１１０の真後ろからパッティグラインを確認して、打球をする方向を調整する。このパタークラブ１１０は、パターヘッド１００の上面中心から鉛直に立設されるシャフト１１１を備えることにより、略平地においては自立するので、パタークラブ１１０を自立させた状態で、該パタークラブ１１０の真後ろからパッティグラインを確認して、打球をする方向を調整することができる。
【００２８】
次に、パッティングラインを確認したプレイヤーは、図２（ａ）に示すように、パターヘッド１００を真上から見下ろした状態で、右打ちの場合には、シャフト１１１の上端近傍を左手で把持すると共に、シャフト１１１の該左手よりも下側の部分を右手で把持する。そしてプレイヤーは、左手を支点にして、右手を後方（即ちプレイヤーの右側）に引き、該右手を前方（即ちプレイヤーの左側）に押し出すことにより、打球面１０１ａでゴルフボールを打球する。この姿勢によれば、パターヘッド１００を真上から見下ろす形で打球をすることができるので、方向性が良く正確な打球をすることができる。
【００２９】
あるいは、パッティングラインを確認したプレイヤーは、図２（ｂ）に示すように、パタークラブ１１０の後方にしゃがんだ状態で、右打ちの場合には、シャフト１１１の上端近傍を左手で把持すると共に、シャフト１１１の該左手よりも下側の部分を右手で把持する。そしてプレイヤーは、左手を支点にして、右手を後方に引き、該右手を前方に押し出すことにより、打球面１０１ａでゴルフボールを打球する。この姿勢によれば、パタークラブ１１０の真後ろからパッティグラインを見る形で打球をすることができるので、方向性が良く正確な打球をすることができる。
【００３０】
［２．第２実施形態に係るパターヘッド２００及びパタークラブ２１０］
第２実施形態に係るパターヘッド２００は、図３（ａ）に示すように、平面視で長辺及び短辺を有する長方形の形状を呈すると共に、図３（ｂ）に示すように、立面視で当該長方形の各辺の長さよりも短い高さの偏平直方体を呈し、当該偏平直方体の長辺側の２側面（即ち正面及び背面）に、２つの打球面２０１ａ，２０２ａが形成されたものである。そしてパターヘッド２００は、各打球面２０１ａ，２０２ａを各々有する複数の（ここでは２つの）打球部材２０１，２０２と、当該各打球部材２０１，２０２が接合される基体２０４と、からなる。
【００３１】
ここで打球部材２０１は、図３（ａ）に示すように、平面視で長方形の左右から取付部２０１ｂ，２０１ｂが突設された形状を呈すると共に、図３（ｂ）に示すように、立面視でパターヘッド２００の高さよりも取付部２０１ｂ，２０１ｂの厚み分だけ高さが高い長方形の上端左右から当該取付部２０１ｂ，２０１ｂが突設された逆凸型の形状を呈するものである。この打球部材２０１の正面が、該打球部材２０１が基体２０４に接合されたときに該基体２０４の側面と面一になる、平滑な打球面２０１ａとされている。
【００３２】
同様に打球部材２０２は、図３（ａ）に示すように、平面視で長方形の左右から取付部２０２ｂ，２０２ｂが突設された形状を呈すると共に、図示しないが、立面視でパターヘッド２００の高さよりも取付部２０２ｂ，２０２ｂの厚み分だけ高さが高い長方形の上端左右から当該取付部２０２ｂ，２０２ｂが突設された逆凸型の形状を呈するものである。この打球部材２０２の正面が、該打球部材２０２が基体２０４に接合されたときに該基体２０４の側面と面一になる、平滑な打球面２０２ａとされている。
【００３３】
これら各打球部材２０１，２０２は、異なる材質により形成された中実の部材であり、例えばチタン又はチタン合金，ステンレス鋼又はステンレス合金，銅又は銅合金のうちの異なる２つの材質により、鋳造や鍛造等で各々形成される。また各打球部材２０１，２０２は、図３（ａ）に示すように、各打球面２０１ａ，２０２ａからの奥行き方向の厚みｔ１，ｔ２が同一となるように形成されている。
【００３４】
ここで打球部材２０１をチタン合金で形成し、打球部材２０２を銅合金で形成すると、２つの打球面のうち、打球面２０１ａの反発係数が高くなって、比較的長距離に向けて打球をする場合には該打球面２０１ａを使用するのが適するようになり、打球面２０２ａの反発係数が低くなって、比較的短距離に向けて打球をする場合には該打球面２０２ａを使用するのが適するようになる。ここで打球部材２０１の上面には、比較的長距離に向けて打球をするのに適する旨を示す目印２０１ｃとして「長」の文字が表示され、打球部材２０２の上面には、比較的短距離に向けて打球をするのに適する旨を示す目印２０２ｃとして「短」の文字が表示される。
【００３５】
基体２０４は、図３（ａ）に示すように、各打球部材２０１，２０２を接合可能なように、平面視で前記長方形の長辺が長方形状にえぐられた２つの凹部を有するＨ型の形状を呈するものである。この基体２０４は、金属，プラスチック，又はセラミック等により、中実又は中空に形成される。この基体２０４の前記２つの凹部の各々に各打球部材２０１，２０２が密着するように嵌め込まれ、各打球部材２０１，２０２から突設された取付部２０１ｂ，２０２ｂに設けられたねじ穴にねじ２０５が挿通され、基体２０４の上面に設けられたねじ穴に該ねじ２０５が螺入されることにより、各打球部材２０１，２０２と基体２０４とが接合されて、パターヘッド２００が形成される。
【００３６】
このパターヘッド２００では、基体２０４に接合される各打球部材２０１，２０２の材質を各々異ならせることにより、各打球面２０１ａ，２０２ａの反発係数を各々異ならせているので、打球部材２０１，２０２の形状が１種類で済み、該打球部材２０１，２０２の構造が簡素かつ製作が容易になる。
【００３７】
第２実施形態に係るパタークラブ２１０は、図３（ｂ）（ｃ）に示すように、上述したパターヘッド２００と、該パターヘッド２００の上面中心に設けられる保持部材２０６と、該保持部材２０６に保持されるシャフト２１１と、からなるものである。ここでパターヘッド２００の中心とは、パターヘッド２００の平面形状である前記長方形の図形状の中心を意味する。またシャフト２１１は、横断面が円形の形状を呈し、金属，プラスチック，又はグラスファイバー等により、中実又は中空に形成される既知のものである。ただしシャフト２１１の下端は、図３（ｃ）に示すように、側面視で逆凸型に形成されていると共に、該逆凸型の突出部には正面視で貫通穴が設けられている。
【００３８】
保持部材２０６は、図３（ｃ）に示すように、側面視で凹型を呈し、該凹型の両突出部に正面視で貫通穴が設けられている土台２０６ａと、該土台２０６ａの貫通穴に挿通される蝶ねじ２０６ｂと、該土台２０６ａの貫通穴に挿通された蝶ねじ２０６ｂの先端に螺合されるナット２０６ｃと、からなる。
【００３９】
そして土台２０６ａの凹部にシャフト２１１の下端に形成された逆凸型の突出部が嵌合され、土台２０６ａの手前の貫通穴，シャフト２１１の貫通穴，及び土台２０６ａの奥の貫通穴に蝶ねじ２０６ｂが挿通され、シャフト２１１を鉛直に対して斜め方向となるようにした状態で、該蝶ねじ２０６ｂの先端にナット２０６ｃが螺合されて締め付けられることにより、各打球面２０１，２０２のうちの一の打球面に対して並行であり、かつ鉛直に対して斜め方向となるように、シャフト２１１が保持部材２０６に保持されて、パタークラブ２１０が形成される。
【００４０】
このパタークラブ２１０を使用して打球をする場合には、プレイヤーは、打球をすべき距離に応じて、反発係数が各々異なる各打球面２０１ａ，２０２ａのうちの一の打球面を選択し、保持部材２０６によるシャフト２１１の保持方向を変えることにより、該選択した打球面で打球が可能なパタークラブ２１０を形成する。
【００４１】
具体的には、プレイヤーが右打ちの場合において、打球面２０１ａで打球をする場合には、シャフト２１１を、図３（ｂ）の二点鎖線で示すように、該打球面２０１ａに向かって右側に傾斜させた状態で、ナット２０６ｃを締め付けることにより、打球面２０１ａで打球が可能なパタークラブ２１０とする。そしてプレイヤーは、図４に示すように、該パタークラブ２１０を両手で把持した状態で、やや腰をかがめて、打球面２０１ａがゴルフボールの後方となるようにパタークラブ２１０を構え、該パタークラブ２１０を後方に引いた後に前方にスイングすることにより、打球面２０１ａでゴルフボールを打球する。
【００４２】
一方、プレイヤーが右打ちの場合において、打球面２０２ａで打球をする場合には、シャフト２１１を、図３（ｂ）の実線で示すように、打球面２０１ａに向かって左側に傾斜させた状態（即ち打球面２０２ａに向かって右側に傾斜させた状態）で、ナット２０６ｃを締め付けることにより、打球面２０２ａで打球が可能なパタークラブ２１０とする。そしてプレイヤーは、図示しないが、該パタークラブ２１０を両手で把持した状態で、やや腰をかがめて、打球面２０２ａがゴルフボールの後方となるようにパタークラブ２１０を構え、該パタークラブ２１０を後方に引いた後に前方にスイングすることにより、打球面２０２ａでゴルフボールを打球する。
【００４３】
この図４に示す姿勢によれば、通常良く行われている、あまり腰をかがめない体勢で打球をすることができる。またシャフト２１１の方向を逆にすることにより、右打ちのプレイヤーのみならず左打ちのプレイヤーにも容易に対応することができる。
【００４４】
以上に説明したように、本発明に係るパターヘッド１００，２００，及びパタークラブ１１０，２１０によれば、三角柱又は直方体の各側面のうちの二以上の側面に、反発係数が異なる打球面が各々形成されていることにより、打球をすべき距離に応じて、プレイヤーが、当該各打球面のうちの一の打球面を選択して打球をすれば良いので、距離に応じた打ち分けが正確かつ容易にできる、という顕著な効果を奏する。
【００４５】
またゴルフ場では、グリーン上におけるゴルフボールの転がり具合（速さ）が、かなり速い，やや速い，普通，やや遅い，かなり遅い等、該グリーンのコンディションがその日によって各々異なるが、本発明によれば、該コンディションに合った打球面による打球を選択して打球をすることができる。またグリーンには、フラット，上り，下り等の傾斜が多くあるが、本発明によれば、該グリーンの傾斜に合った打球面を選択して打球をすることができる。さらにプレイヤーにおいて、当日の本人の体調も様々であるが、該体調にあった打球面を選択して打球をすることができる。即ち、本発明によれば、打球をすべき距離に応じて打球面を選択するのみならず、グリーンに合ったタッチやプレイヤーの好みのタッチが得られる打球面を選択して打球をすることもできる。さらに本発明によれば、該選択した打球面での打球を練習グリーンでテストできる。
【００４６】
ここで前記特許文献１に記載されたパターヘッドと比較した本発明の優位性を明らかにしておく。まず、前記特許文献１に記載されたパターヘッドでは、面一の打球面の中に複数の打面が設けられているので、意図しない打面で打球をしてしまうという問題がある。これに対し、本発明では、面一でない複数の打球面が設けられているので、意図しない打球面で打球をしてしまうということがない。
【００４７】
また、前記特許文献１に記載されたパターヘッドでは、面一の打球面の中に複数の打面が設けられているので、シャフトを該パターヘッドのいかなる位置に固定しようとも、３つの打面のうちの２つの打面で打球をする場合に、該シャフトにモーメントが影響して、正確な打球をすることができないという問題がある。具体的には、特許文献１の図１に示す如く、シャフトがパターヘッドのヒール部近傍に固定されていると、該ヒール部の打面で打球をする場合にはモーメントの影響は小さいが、トウ部の打面，及び中央部の打面で打球をする場合にはモーメントの影響が大きい。仮にシャフトがパターヘッドの中央部に固定されていても、該中央部の打面で打球をする場合にはモーメントの影響は小さいが、トウ部の打面，及びヒール部の打面で打球をする場合にはモーメントの影響が大きい。このようにモーメントの影響が大きいと、シャフトを把持しているグリップがゆるんだりして、正確な打球をすることができない。これに対し、本発明では、面一でない複数の打球面を有するパターヘッド１００，２００の上面中心にシャフト１１１，２１１が固定されており、通常は打球面の中央部で打球をするので、モーメントの影響はほとんど無く、正確な打球をすることができる。
【００４８】
［３．変形例］
最後に、本発明の変形例について説明する。
【００４９】
上記の第１実施形態では、図１（ａ）に示すように、パターヘッド１００の平面形状が正三角形である例について説明したが、これに限らず、該パターヘッド１００の平面形状は、正三角形以外の三角形（例えば二等辺三角形）であっても良い。また三角柱の３つの側面すべてを打球面とするのではなく、２つの側面のみを打球面としても良い。また打球部材の厚みで反発係数を異ならせるのではなく、第２実施形態の如く打球部材の材質で反発係数を異ならせるようにしても良い。さらにシャフト１１１は、パターヘッド１００に固定されるのではなく、該パターヘッド１００の上面中心に設けられた保持部材により水平面内で回動可能に保持され、各打球面のうちの一の打球面に対して並行であり、かつ鉛直に対して斜め方向となるように保持されるようにしても良い。
【００５０】
上記の第２実施形態では、図３（ａ）に示すように、パターヘッド２００の平面形状が長方形である例について説明したが、これに限らず、該パターヘッド２００の平面形状は、正方形であっても良い。また直方体の２つの側面のみを打球面とするのではなく、３つの側面，又は４つの側面を打球面としても良い。また打球部材の材質で反発係数を異ならせるのではなく、第１実施形態の如く打球部材の厚みで反発係数を異ならせるようにしても良い。さらにシャフト２１１は、保持部材２０６により保持されるのではなく、パターヘッド２００の上面中心から鉛直に立設されるようにしても良い。
【００５１】
上記の実施形態では、パターヘッド１００，２００において、打球部材と基体とがねじにより接合される例について説明したが、これに限らず、該打球部材と基体とは、接着，溶接等の他の方法により接合されるものであっても良い。また打球部材と基体とが別体のものではなく一体のものであっても良い。
【００５２】
上記の実施形態では、基体１０４，２０４に形成された凹部に打球部材が嵌め込まれて接合される例について説明したが、これに限らず、該基体１０４，２０４の平滑な側面に打球部材（第１実施形態であれば厚みが異なる打球部材，第２実施形態であれば厚みが同一である打球部材）が貼り付けられて接合されるものであっても良い。これによれば、基体１０４，２０４に凹部を形成する必要がないため、該基体１０４，２０４の構造が簡素かつ製作が容易になる。
【００５３】
上記の実施形態では、図１（ａ）に示すように、目印１０１ｃ〜１０３ｃが打球部材１０１〜１０３に設けられ、図２（ａ）に示すように、目印２０１ｃ〜２０２ｃが打球部材２０１〜２０２に設けられる例について説明したが、これに限らず、これら目印が基体１０４，２０４に設けられるようにしても良い。
【００５４】
上記の第２実施形態では、保持部材２０６が、土台２０６ａ，蝶ねじ２０６ｂ，及びナット２０６ｃからなり、蝶ネジ２０６ｂとナット２０６ｃの締め付けによりシャフト２１１を保持する例について説明したが、これに限らず、例えば一方向ラチェット等の他の方法によりシャフト２１１を保持するものであっても良い。
【図面の簡単な説明】
【００５５】
【図１】図１は第１実施形態の一例を表す図であり、（ａ）はパターヘッドの平面図，（ｂ）はパタークラブの正面図である。
【図２】図２は、第１実施形態に係るパタークラブを用いて打球をする様子の一例を表す図である。
【図３】図３は、第２実施形態の一例を表す図であり、（ａ）はパターヘッドの平面図，（ｂ）はパタークラブの正面図，（ｃ）はパタークラブの側面図である。
【図４】図４は、第２実施形態に係るパタークラブを用いて打球をする様子の一例を表す図である。
【符号の説明】
【００５６】
［第１実施形態］
１００…パターヘッド
１０１〜１０３…打球部材
１０１ａ〜１０３ａ…打球面
１０１ｂ〜１０３ｂ…取付部
１０１ｃ〜１０３ｃ…目印
１０４…基体
１０５…ねじ
１１０…パタークラブ
１１１…シャフト
［第２実施形態］
２００…パターヘッド
２０１〜２０２…打球部材
２０１ａ〜２０２ａ…打球面
２０１ｂ〜２０２ｂ…取付部
２０１ｃ〜２０２ｃ…目印
２０４…基体
２０５…ねじ
２０６…保持部材
２０６ａ…土台
２０６ｂ…蝶ねじ
２０６ｃ…ナット
２１０…パタークラブ
２１１…シャフト
【図１】
2008061794.tif 000003
【図２】
2008061794.tif 000004
【図３】
2008061794.tif 000005
【図４】
2008061794.tif 000006